(57)【要約】【課題】電力システムにおいて、全体電力システムの余分の通信遅延を防ぎ、システムの実時間応答性を向上させること。【解決手段】本発明は、マスター下位機器、少なくとも一つのスレーブ下位機器、及び上位監視盤が互いにイーサネットを介して接続され、マスター下位機器が、少なくとも一つのスレーブ下位機器に状態確認フレームを転送し、スレーブ下位機器から応答フレームを受信したか否かによって通信誤り有無を決定した後、通信誤り状態と決定された下位機器に関する情報を上位監視盤に転送する。上位監視盤は、マスター下位機器から通信誤り状態と決定された下位機器に関する情報を受信し、該当の下位機器を除く残りの接続された下位機器にイーサネットを介して必要なデータを要請して収集する。これによって、全体電力システムの余分の通信遅延を防ぎ、システムの実時間応答性及び安全性を向上させる。【選択図】図３
2011147132.tif 000002
【特許請求の範囲】
【請求項１】
マスター下位機器、少なくとも一つのスレーブ下位機器、及び上位監視盤は互いにイーサネットを介して接続され、
前記マスター下位機器から受信した状態確認フレームに対して応答フレームを転送する少なくとも一つのスレーブ下位機器と、
前記スレーブ下位機器に状態確認フレームを転送し、前記スレーブ下位機器から応答フレームを受信したか否かによって通信誤り有無を決定した後、通信誤り状態と決定された下位機器に関する情報を前記上位監視盤に転送するマスター下位機器と、
前記マスター下位機器から通信誤り状態と決定された下位機器に関する情報を受信し、該当の下位機器を除く残りの接続された下位機器に前記イーサネットを介して必要なデータを要請して収集する上位監視盤と、
を含んでなる、イーサネットベースの電力機器の通信誤り監視システム。
【請求項２】
前記マスター下位機器は、
前記応答フレームを受信しなかったスレーブ下位機器に反復して状態確認フレームを転送し、前記反復転送した状態確認フレームに対する応答フレームの未受信回数が、既に設定された基準回数を超過すると、該スレーブ下位機器を通信誤り状態と決定することを特徴とする、請求項１に記載のイーサネットベースの電力機器の通信誤り監視システム。
【請求項３】
前記マスター下位機器は、
前記通信誤り状態と決定された下位機器に反復して状態確認フレームを転送し、前記下位機器から応答フレームを受信すると、該下位機器との通信誤りが復旧されたことを前記上位監視盤に知らせることを特徴とする、請求項１に記載のイーサネットベースの電力機器の通信誤り監視システム。
【請求項４】
前記マスター下位機器及びスレーブ下位機器は、
保護継電器、ＰＬＣ（Programmable Logic Controller）、計測器、及び電力監視装置のうちいずれか一つであることを特徴とする、請求項１に記載のイーサネットベースの電力機器の通信誤り監視システム。
【請求項５】
マスター下位機器が、既に設定された周期にしたがってイーサネットを介して相互接続されたスレーブ下位機器に状態確認フレームを生成して転送するステップと、
前記スレーブ下位機器から応答フレームが受信されたか否かを判断するステップと、
前記スレーブ下位機器から応答フレームが受信されないと、前記スレーブ下位機器の応答失敗回数を増加させるステップと、
前記スレーブ下位機器への状態確認フレーム転送を反復し、累積された応答失敗回数が既に設定された基準回数を超過するか否か判断して、前記判断結果基準回数を超過すると、前記スレーブ下位機器を通信誤り状態と決定するステップと、
前記通信誤り状態と決定された下位機器に関する情報を、上位監視盤に実時間転送するステップと、
を含んでなる、イーサネットベースの電力システムの通信誤り監視方法。
【請求項６】
前記応答フレームが受信されたか否かを判断した後に、
前記スレーブ下位機器から応答フレームが受信されると、前記マスター下位機器が、前記イーサネットを介して接続された他のスレーブ下位機器に状態確認フレームを転送し、該当の下位機器から応答フレームが受信されたか否かを判断するステップをさらに含むことを特徴とする、請求項５に記載のイーサネットベースの電力システムの通信誤り監視方法。
【請求項７】
前記累積された応答失敗回数が、既に設定された基準回数を超過するか否かを判断した後に、
前記判断結果、超過しない場合に、前記マスター下位機器が、一定時間が経過した後に前記スレーブ下位機器に状態確認フレームを再転送し、応答フレームが受信されたか否かを判断することを特徴とする、請求項５に記載のイーサネットベースの電力システムの通信誤り監視方法。
【請求項８】
前記上位監視盤が、前記通信誤り状態と決定された下位機器にデータ転送を要請しないステップをさらに含んでなることを特徴とする、請求項５に記載のイーサネットベースの電力システムの通信誤り監視方法。
【発明の詳細な説明】
【技術分野】
【０００１】
本発明は、イーサネット（登録商標）ベースの電力監視システムに係り、特に、複数の下位機器と上位監視盤との間においてイーサネットを用いて通信する場合に、通信誤りを迅速で正確に診断することができるイーサネットベースの電力機器の通信誤り監視システム及びその方法に関するものである。
【背景技術】
【０００２】
変電所に設置された保護継電器（Protection Relay）及びＰＬＣ（Programmable Logic Controller）などのような電力システムの通信がシリアルからイーサネットへと変わりつつあるなか、通信誤りが発生すると、スイッチ、光コンバータ、ケーブル、その他の機器などが複合的に関連されているため、誤りの原因を見出しにくい。
【０００３】
保護継電器は、過電流、短絡事故、地絡（Ground fault）事故などを含む線路の各種の事故から系統を保護するための装置であり、現場の線路状態と計測データを上位監視盤に周期的に報告しなければならず、上位監視盤との通信上の信頼性が要求される。保護継電器やスイッチなどのような下位機器は、常時、系統、計測に関する重要なデータをイーサネットを通じて送受信しているが、通信誤り発生時にデバギングを行うための入出力装備がないため、追加に高価の装備及びネットワーク誤りの判別のための点検技術が必要とされる。そして、もし、通信誤りが発生した場合、誤りに対する原因分析と全体システムの正常復旧までには時間がかかる。これは、監視及び制御システムが通信により致命的な弱点を持っているということを意味する。
【０００４】
図１は、従来技術に係るイーサネットベースの電力システムを示す図で、上位監視盤１０、ハブ３０及び多数の保護継電器５０ａ〜５０ｎを含んで構成される。
【０００５】
変電所などに設置された各種保護継電器５０ａ〜５０ｎは、ＨＭＩ（Human Machine Interaction）装置のような上位監視盤１０とイーサネット及びハブ３０を介して通信している。
【０００６】
上位監視盤１０は、イーサネットを介して第１保護継電器５０ａに特定データを要請すると、第１保護継電器５０ａは、要請されたデータを上位監視盤１０に転送する。この時、他の保護継電器５０ｂ〜５０ｎは、内部演算や保護アルゴリズムなどで動作している。
【０００７】
そして、上位監視盤１０は、第１保護継電器５０ａと通信した後、次の順番である第２保護継電器５０ｂに特定データを要請し、第２保護継電器５０ｂは、要請されたデータを上位監視盤１０に転送する。
【０００８】
このように、上位監視盤１０は、第１保護継電器→第２保護継電器→…→第ｎ保護継電器→第１保護継電器→…の順に連続して繰り返し通信を行う。
【０００９】
すなわち、上位監視盤１０が、ユーザによりあらかじめ設定されたデータ（バイナリ（Binary）データ、アナログデータ、イベントデータ等）を保護継電器に要請すると、それぞれの保護継電器は、当該要請されたデータを転送する方式で動作する。
【００１０】
この時、通信ラインや機器などに種々の理由から誤りが生じると、図２に示すように、特定の保護継電器からは要請したデータを受信できなくなる。
【００１１】
例えば、第２保護継電器５０ｂに通信誤りが生じた場合、上位監視盤１０は、第２保護継電器５０ｂからは要請したデータを受信できなくなる。そして、誤りが発生すると、上位監視盤１０はエラー処理をした後に、その次の順番の保護継電器にデータを要請する作業を行う。上位監視盤１０は、最後の順番である第ｎ保護継電器５０ｎまでデータを要請して該当のデータを全て受信してから、上記誤りの生じた第２保護継電器５０ｂにデータを再要請する方式で動作する。
【００１２】
ここで、上位監視盤１０は、データ要請に対して応答ができない保護継電器に対して直ちに再要請をしたり、次の順番でデータを再要請したりすることができる。
【００１３】
このように、上位監視盤は、下位機器である特定の保護継電器との通信不良時に該当の保護継電器に再転送を実施し、通信不良が繰り返される場合には保護継電器の異常状態を類推して判断してきた。
【００１４】
このような保護継電器の通信状態に基づく誤り診断方式は、誤り状態を判断するまで相当な時間がかかり、上位監視盤の誤り確認プロセスによってシステムの実時間監視及び制御が困難であった。
【００１５】
一般に、上位監視盤は、保護継電器との通信誤り発生時に、または、通信ラインの断線、保護継電器の不良による通信失敗時にも、続けてデータ要請メッセージを転送する。ここで、誤りの原因がデータ間の衝突でない場合は、保護継電器との通信失敗現象は持続するから、保護継電器に続けてデータを要請することは、効率的なシステムの運営を阻害する要素とされる。
【００１６】
また、より知能化した上位監視盤は、通信失敗が繰り返される保護継電器にデータ要請をしないように構成することもできるが、このようなシステムを構成すること自体が容易でないし、保護継電器の状態を実時間で反映することも困難である。特に、保護継電器の構成要素が複雑で多数である場合は、保護継電器の状態を実時間で反映するのが困難である。
【００１７】
イーサネットを介したデータ通信において、上位監視盤と保護継電器とのデータ送受信時間は、正常の場合に約４ｍｓｅｃ〜５０ｍｓｅｃの時間がかかるが、正常でない場合には１ｓｅｃ〜５ｓｅｃの時間に加えて上位監視盤でデータを待機する遅延時間も必要とされる。したがって、保護継電器が多ければ多いほど全体システムで発生する遅延時間は算術級数的に増加する。
【００１８】
したがって、全体システムの多数の装置における通信誤り状態を判断できる基準データがあるとすれば、この結果に基づいて上位システムは正常状態の装置にはデータを要求し、正常でない状態の装置にはデータを要求しない知能型の送受信が可能となり、現在の非効率的なシステムの動作方式を改善することが可能になるであろう。
【発明の概要】
【発明が解決しようとする課題】
【００１９】
本発明は、イーサネットベースの電力機器の通信誤り監視システム及びその方法を対象とする。
【００２０】
本発明は、マスター（Master）下位機器、少なくとも一つのスレーブ（Slave）下位機器及び上位監視盤は互いにイーサネットを介して接続され、
前記マスター下位機器から受信した状態確認フレームに対して応答フレームを転送する少なくとも一つのスレーブ（Slave）下位機器；前記スレーブ下位機器に状態確認フレームを転送し、前記スレーブ下位機器から応答フレームを受信したか否かによって通信誤り有無を決定した後、通信誤り状態と決定された下位機器に関する情報を前記上位監視盤に転送するマスター下位機器；及び、前記マスター下位機器から通信誤り状態と決定された下位機器に関する情報を受信し、該当の下位機器以外の残り接続された下位機器に前記イーサネットを介して必要なデータを要請して収集する上位監視盤；を含んでなり、これによって、多数の下位機器と上位監視盤とがイーサネットを用いて通信する場合、通信誤りを迅速で正確に診断することができるイーサネットベースの電力機器の通信誤り監視システム及びその方法を提供する。
【課題を解決するための手段】
【００２１】
本発明は、電力システムにおいて下位機器同士間の相互通信から、通信誤りの発生した特定の下位機器を実時間で検出し、誤りの発生した下位機器の情報を上位監視盤に通報するように構成することによって、全体電力システムの余分の通信遅延を防ぎ、システムの実時間応答性を向上させることができるイーサネットベースの電力機器の通信誤り監視システム及びその方法を提供する。
【００２２】
上記目的を達成するための本発明の通信誤り監視システムは、マスター下位機器、少なくとも一つのスレーブ下位機器、及び上位監視盤は互いにイーサネットを介して接続され、
前記マスター下位機器から受信した状態確認フレームに対して応答フレームを転送する少なくとも一つのスレーブ下位機器と、
前記スレーブ下位機器に状態確認フレームを転送し、前記スレーブ下位機器から応答フレームを受信したか否かによって通信誤り有無を決定した後、通信誤り状態と決定された下位機器に関する情報を前記上位監視盤に転送するマスター下位機器と、
前記マスター下位機器から通信誤り状態と決定された下位機器に関する情報を受信し、該当の下位機器を除く残りの接続された下位機器に前記イーサネットを介して必要なデータを要請して収集する上位監視盤と、
を含んでなることを特徴とする。
【００２３】
好適には、前記マスター下位機器は、前記応答フレームを受信しなかったスレーブ下位機器に反復して状態確認フレームを転送し、前記反復転送した状態確認フレームに対する応答フレームの未受信回数が、既に設定された基準回数を超過すると、該スレーブ下位機器を通信誤り状態と決定することを特徴とする。
【００２４】
そして、前記マスター下位機器は、前記通信誤り状態と決定された下位機器に反復して状態確認フレームを転送し、前記下位機器から応答フレームを受信すると、該下位機器との通信誤りが復旧されたことを前記上位監視盤に知らせることを特徴とする。
【００２５】
上記目的を達成するためのイーサネットベースの電力システムの通信誤り監視方法は、
マスター下位機器が、既に設定された周期にしたがってイーサネットを介して相互接続されたスレーブ下位機器に状態確認フレームを生成して転送するステップと、
前記スレーブ下位機器から応答フレームが受信されたか否かを判断するステップと、
前記スレーブ下位機器から応答フレームが受信されないと、前記スレーブ下位機器の応答失敗回数を増加させるステップと、
前記スレーブ下位機器への状態確認フレーム転送を反復し、累積された応答失敗回数が既に設定された基準回数を超過するか否か判断して、前記判断結果基準回数を超過すると、前記スレーブ下位機器を通信誤り状態と決定するステップと、
前記通信誤り状態と決定された下位機器に関する情報を、上位監視盤に実時間転送するステップと、を含んでなることを特徴とする。
【００２６】
そして、前記応答フレームが受信されたか否かを判断した後に、前記スレーブ下位機器から応答フレームが受信されると、前記マスター下位機器が、前記イーサネットを介して接続された他のスレーブ下位機器に状態確認フレームを転送し、該当の下位機器から応答フレームが受信されたか否かを判断するステップをさらに含むことを特徴とする。
【００２７】
また、前記累積された応答失敗回数が、既に設定された基準回数を超過するか否かを判断した後に、前記判断結果、超過しない場合に、前記マスター下位機器が、一定時間が経過した後に前記スレーブ下位機器に状態確認フレームを再転送し、応答フレームが受信されたか否かを判断することを特徴とする。
【００２８】
上記通信誤り監視方法は、前記上位監視盤が、通信誤り状態と決定された下位機器に関する情報を受信した後に、この通信誤り状態と決定された下位機器にデータ転送を要請しないステップをさらに含んでなることを特徴とする。
【図面の簡単な説明】
【００２９】
【図１】従来技術によるイーサネットベースの電力システムを示す図である。
【図２】従来技術によるイーサネットベースの電力システムを示す図である。
【図３】本発明によるイーサネットベースの電力システムを示す図である。
【図４】本発明に適用された保護継電器の細部構成を示す図である。
【図５】図３に示す電力システムの通信誤りチェック方法を説明するための図である。
【図６】本発明の実施例による通信誤りチェックプロセスを示すフローチャートである。
【発明を実施するための形態】
【００３０】
以下、添付の図面を参照しつつ、本発明の好適な実施例について詳細に説明する。図面中、同一の構成要素には可能な限り同一の参照符号を付する。なお、下記の説明において、本発明の要旨を曖昧にさせるとされる公知機能及び構成についての詳細な説明は省略するものとする。
【００３１】
図３は、本発明の実施例によるイーサネットベースの電力システムを示す図で、上位監視盤１０、ハブ（Hub）３０、及び多数の保護継電器１００ａ〜１００ｎを含んで構成される。
【００３２】
本発明の実施例では、説明の便宜上、下位機器を保護継電器とするが、これに限定されず、下位機器は、保護継電器（Protection Relay）、ＰＬＣ（Programmable Logic Controller）、計測器、及び電力監視装置のうちのいずれか一つとすることもできる。特に、保護継電器はＩＥＤ（Intelligent Electronic Device）とも呼ばれる。
【００３３】
上位監視盤１０は、ハブ３０及びイーサネットを介して多数の保護継電器１００ａ〜１００ｎと接続されるもので、一定の周期ごとに各保護継電器１００ａ〜１００ｎに必要なデータを反復要請し、保護継電器から受信した応答データを記憶管理するＨＭＩ（Human Machine Interaction）装置のようなホストコンピュータで構成することができる。
【００３４】
保護継電器１００ａ〜１００ｎは、上位監視盤１０から特定データが要請されると、当該要請されたデータを抽出してイーサネットを介して上位監視盤１０に転送する。
【００３５】
ここで、保護継電器１００ａ〜１００ｎはマスター（Master）と少なくとも一つのスレーブ（Slave）とに区別され、マスターは、スレーブとそれぞれ通信して各スレーブの通信状態をチェックする。本実施例では、便宜上、第１保護継電器１００ａをマスターとし、残りの保護継電器１００ｂ〜１００ｎをスレーブとする。
【００３６】
スレーブ保護継電器１００ｂ〜１００ｎは、マスター保護継電器１００ａから要請された状態確認フレームに対する応答フレームを転送する。そして、マスター保護継電器１００ａは、イーサネットを介して接続された特定のスレーブ保護継電器に状態確認フレームを転送する。マスター保護継電器１００ａは、各スレーブ保護継電器から応答フレームを受信したか否かによって通信誤り有無を決定し、通信誤り状態と決定された保護継電器の情報を上位監視盤１０に転送する。
【００３７】
上位監視盤１０は、一般に、イーサネットを介して接続された多数の保護継電器１００ａ〜１００ｎに必要なデータを要請して収集する役割を果たす。そして、上位監視盤１０は、マスター保護継電器１００ａから通信誤りの発生した保護継電器に関する情報を受信すると、該当する保護継電器を除く残りの保護継電器にのみデータを要請する。
【００３８】
特定の保護継電器１００ａの細部構成を図４に示す。
【００３９】
同図で、保護継電器１００ａは、電圧電流検出部１１０、キー入力部１２０、表示部１３０、記憶手段１４０、メモリー１５０、イーサネット通信部１６０、及び制御部１７０などを含んで構成される。
【００４０】
電圧電流検出部１１０は、線路上の高電圧を一定の比率の低電圧に変える計器用変圧器（Potential Transformer；PT）と、線路上の大電流を一定の比率の低い電流に変える計器用変流器（Current Transformer；CT）を含んでなる。
【００４１】
キー入力部１２０は、保護継電器１００ａの各種の計測及び動作モードやバックアップ周期などのユーザ設定情報を取り込むような構成となっている。
【００４２】
表示部１３０は、電圧電流検出部１１０により検出された各種の電源状態やキー入力部１２０を通じて入力された各種の設定命令を文字またはグラフィックなどでディスプレイするＬＣＤからなる。
【００４３】
記憶手段１４０は、電圧電流検出部１１０及びキー入力部１２０を通じてそれぞれ入力されたイベントデータ、事故データ、ウェーブデータ、デマンドデータ及びキー操作データを制御部１７０の制御によって項目別に記憶するハードディスク（ＨＤＤ）または不揮発性メモリーからなる。
【００４４】
メモリー１５０は、イーサネットを介して接続された他の保護継電器１００ｂ〜１００ｎとの通信状態及び誤りに関する情報を記憶する。
【００４５】
イーサネット通信部１６０は、イーサネットを介して上位監視盤１０及び他の保護継電器１００ｂ〜１００ｎに接続されてデータを送受信する機能を担当する。
【００４６】
制御部１７０は、上記した各構成の動作を制御するもので、電圧電流検出部１１０から入力された計測データを項目別に記憶手段１４０にそれぞれ記憶させ、上位監視盤１０から転送された要請フレームを解析し、送信フレームを生成してイーサネット通信部１６０を通じて上位監視盤１０に転送する。ここで、計測データは、イベントデータ、事故データ、ウェーブデータ、デマンドデータ及びキー操作データなどを含む。
【００４７】
また、制御部１７０は、既に設定された周期ごとにイーサネットを介して接続された他の保護継電器１００ｂ〜１００ｎに状態確認フレームを転送して応答を要請し、各保護継電器１００ｂ〜１００ｎからの応答有無に基づく通信誤り状態をメモリー１５０に記憶させて管理する。
【００４８】
図５は、図３に示す電力システムの通信誤りチェック方法を説明するための図である。図５に示すように、本実施例では、イーサネットを介して相互接続された多数の保護継電器１００ａ〜１００ｃのうちの一つである保護継電器１００ａはマスターに設定され、残りの保護継電器１００ｂ，１００ｃはスレーブに設定される。ここで、保護継電器１００ａ〜１００ｃは互いに水平的な関係を有するが、便宜上マスターとスレーブとに区別するものとする。
【００４９】
マスターに設定された保護継電器１００ａは、周期的に、スレーブに設定された保護継電器１００ｂ，１００ｃに状態確認フレームを転送し、該当のスレーブ保護継電器１００ｂ，１００ｃは応答フレームを生成してマスター保護継電器１００ａに転送して応答する。もちろん、通信誤りのあるスレーブ保護継電器１００ｃからは応答フレームが転送されない。
【００５０】
マスター保護継電器１００ａは、周期的に、スレーブ保護継電器１００ｂ，１００ｃに状態確認フレームを転送して応答有無によって通信誤り有無を確認し、通信誤りがある場合、通信誤りの発生した保護継電器に関する情報を実時間で上位監視盤１０に転送する。
【００５１】
上位監視盤１０では、マスター保護継電器１００ａが転送する上記の情報を用いて非正常状態の保護継電器１００ｃにはデータの転送を要求しない。
【００５２】
すなわち、上位監視盤１０に全体下位機器に関する状態情報を転送するマスター保護継電器１００ａは、数ｍｓｅｃ単位で状態確認フレームを他のスレーブ保護継電器１００ｂ〜１００ｎに転送し、該状態確認フレームを受信した保護継電器１００ｂ〜１００ｎは、マスター保護継電器１００ａに応答フレームを転送する。この時、上位監視盤１０との通信にＴＣＰ／ＩＰを用いることから、トラフィックに影響を及ぼすことなく保護継電器１００ａ〜１００ｎとの通信が可能なわけである。
【００５３】
それぞれの保護継電器１００ａ〜１００ｎは、一つのイーサネットを用いて、上位監視盤１０との通信のためのＴＣＰ／ＩＰソケットと実時間で保護継電器１００ａ〜１００ｎ同士間の通信のためのソケットを別々に内部に備えることができるため、上位監視盤１０の命令を処理しながらマスター保護継電器１００ａへの応答が可能である。
【００５４】
特定の保護継電器との通信に連続して失敗した場合、マスター保護継電器１００ａは、通信誤りのある保護継電器に関する情報を上位監視盤１０に送る。すると、上位監視盤１０は、通信誤りのある保護継電器にデータの要求をしない。そのため、通信誤りの発生した保護継電器から応答を待つ遅延時間も要らず、結果として全体監視システムの実時間性が増大する。
【００５５】
この場合、マスター保護継電器１００ａは、通信誤りのある保護継電器に対しても周期的に正常状態への復帰を実時間でチェックし、正常に復帰した瞬間にその正常状態への復帰を上位監視盤１０に知らせる。
【００５６】
このような通信はブロードキャスト方式のもので、上位監視盤１０とは関係しないため、全体システムのトラフィック（Traffic）に影響を与えない。
【００５７】
図６は、本発明によるイーサネットベースの電力システムにおける実時間通信誤り監視方法を示すフローチャートである。
【００５８】
まず、マスターと設定された保護継電器１００ａは、既に設定された周期によって通信確認時点になると（Ｓ１）、スレーブと指定された特定の保護継電器１００ｂに、状態確認フレームを生成して転送する（Ｓ２）。ここで、マスター保護継電器１００ａと少なくとも一つのスレーブ保護継電器１００ｂ〜１００ｎとはイーサネットを介して互いに接続されている。
【００５９】
続いて、マスター保護継電器１００ａは、状態確認フレームの転送されたスレーブ保護継電器１００ｂから応答フレームを受信したか否か判断する（Ｓ３）。
【００６０】
ここで、スレーブ保護継電器１００ｂから応答フレームを受信すると、マスター保護継電器１００ａは、通信状態を確認する保護継電器がさらに存在するか否か判断する（Ｓ４）。もし、マスター保護継電器１００ａは、全てのスレーブ保護継電器１００ｂ〜１００ｎとの通信確認が完了すると、次の通信確認周期まで待つ。
【００６１】
一方、マスター保護継電器１００ａは、通信状態を確認するスレーブ保護継電器１００ｃ〜１００ｎが残っていると、次の保護継電器１００ｃに状態確認フレームを転送し（Ｓ５）、該保護継電器１００ｃから応答フレームを受信したか否か判断する（Ｓ３）。
【００６２】
スレーブ保護継電器１００ｃから応答フレームを受信しなかった場合、マスター保護継電器１００ａは、保護継電器１００ｃの応答失敗回数を増加させる（Ｓ６）。
【００６３】
続いて、マスター保護継電器１００ａは、応答失敗した保護継電器１００ｃの累積回数が、メモリー１５０に設定された基準回数を超過するか否か判断し（Ｓ７）、基準回数を超過すると、当該保護継電器１００ｃを通信誤りの発生した保護継電器１００ｃと決定し、この保護継電器１００ｃに関する情報を実時間で上位監視盤１０に転送する（Ｓ８）。
【００６４】
上位監視盤１０は、通信誤りの発生した非正常状態の保護継電器１００ｃにはデータを要求しない。
【００６５】
続いて、マスター保護継電器１００ａは、通信状態を確認するスレーブ保護継電器１００ｎがさらに残っているか判断した後、次の保護継電器１００ｎに状態確認フレームを転送し（Ｓ９、Ｓ１０）、状態確認フレームの転送された保護継電器１００ｎから応答フレームを受信したか否か判断する（Ｓ３）。
【００６６】
一方、上記Ｓ７段階で累積された応答失敗回数が設定された基準回数を超過しないと判断される場合は、マスター保護継電器１００ａは、一定時間が経過した後に応答失敗した該当の保護継電器１００ｃに状態確認フレームを再転送して、それに対する応答があるか否かチェックする（Ｓ１１）。
【００６７】
このように、本発明では、保護継電器１００ａ〜１００ｎ間の通信を通じて通信誤りの発生時における通信誤りを迅速で正確に認識することができる。
【００６８】
電力システムにおいて下位機器及び通信装備は、種々の原因により瞬間的にまたは連続して通信不良状態になることがあるが、上位監視盤１０ではこのような通信状態を認識することができず、よって、下位機器同士間に、あらかじめ定義された図６に示すような流れに従って通信を行うようにしたわけである。
【００６９】
すなわち、本発明は、下位機器同士間に通信を行うことで全体システムの通信上の正常／誤り状態を実時間で監視し、その結果を上位監視盤１０に転送するように構成される。そして、上位監視盤１０は、現在通信状態が不良である保護継電器とのデータ通信を中止し、通信不可能な保護継電器に通信を試みる余分の動作を省くことができる。
【００７０】
本発明においてマスター保護継電器が状態確認フレームを転送する方法には様々なものがあり、例えば、数ｍｓｅｃごとに順次に転送する、一定時間ごとに全体下位機器に一括として転送する、または、ポーリング（polling）方式で１：１にフレーム要求及び応答を行うことができる。これに限定されず、現場に応じてより好適な方法を使用することが可能である。
【００７１】
以上では好適な実施例を中心に本発明を説明してきたが、本発明の属する技術分野における通常の知識を有する者にとっては、本発明の本質的な技術範囲内で様々な変形実施が可能であるということは明らかである。
【符号の説明】
【００７２】
１０    上位監視盤
１００ａ〜１００ｎ    下位機器（保護継電器）
１００ａ    マスター下位機器
１００ｂ〜１００ｎ    スレーブ下位機器
【図１】
2011147132.tif 000003
【図２】
2011147132.tif 000004
【図３】
2011147132.tif 000005
【図４】
2011147132.tif 000006
【図５】
2011147132.tif 000007
【図６】
2011147132.tif 000008